(57)【特許請求の範囲】
【請求項１】
つま先の開いた靴および閉じた靴の内層、ならびに内部表面および外部表面を洗浄する洗浄配合物であって、
天然グアー、水、および液体防腐作用を有する消毒剤の組み合わせ７５〜９５重量％と、    塩化アルミニウムを含有する洗浄剤と、抗菌剤および抗殺真菌剤と、からなる粘度の高い材料であり、該洗浄配合物が靴の内側または表面に順応でき、かつ、遊離した粒子を取り囲むことができる粘度の大きさを有し、
前記材料は、５０，０００〜８０，０００ｍＰａ・ｓの粘度を有することを特徴とする、洗浄配合物。
【請求項２】
前記消毒剤はアルコールであることを特徴とする、請求項１に記載の洗浄配合物。
【請求項３】
前記消毒剤はエタノールであることを特徴とする、請求項１に記載の洗浄配合物。
【請求項４】
追加の消毒剤として塩化アルキルジメチルベニルアンモニウムが存在することを特徴とする、請求項３に記載の洗浄配合物。
【請求項５】
追加の消毒剤として塩化ジデシルジメチルアンモニウムが存在することを特徴とする、請求項３または４に記載の洗浄配合物。
【請求項６】
消毒剤としてホウ酸をさらに含んでなることを特徴とする、請求項３〜５のいずれか一項に記載の洗浄配合物。
【請求項７】
抗殺真菌剤として最大０．５重量％のメチルパラベンが含まれることを特徴とする、請求項１に記載の洗浄配合物。
【請求項８】
最大０．５重量％のプロピルパラベンを含有することを特徴とする、請求項１に記載の洗浄配合物。
【請求項９】
ジアゾリジニル尿素を含有することを特徴とする、請求項１に記載の洗浄配合物。
【請求項１０】
油脂および除去が困難な他の固体粒子を溶解し、次いでこれらを吸収する作用である、浸潤作用を少なくとも有することも特徴とする、請求項１に記載の洗浄配合物。
【請求項１１】
前記洗浄配合物が足部疾患に対する予防作用を示すことを特徴とする、請求項１に記載の洗浄配合物。
【請求項１２】
以下の組成を有することを特徴とする、洗浄配合物。
水（Ｈ２Ｏ）                                  ６５〜７５重量％
エタノール                                   １０〜２０重量％
プロパントリオール                               ５〜８重量％
天然グアー                                       ３〜７重量％
塩化アルキルジメチルベニルアンモニウム           ２〜７重量％
塩化ジデシルジメチルアンモニウム                 １〜４重量％
ホウ素（ホウ酸として）                   ０．１〜０．５重量％
メチルパラベン                                 ＜０．５重量％
プロピルパラベン                               ＜０．５重量％
色素                             ０．００１〜０．００３重量％
芳香性物質                     ０．０００１〜０．００１重量％
ジアゾリジニル尿素               ０．００１〜０．００５重量％
【発明の詳細な説明】
【技術分野】
【０００１】
本発明は、つま先の開いた靴およびつま先の閉じた靴の内側ならびに内表面および外表面を洗浄する方法に関する。
【背景技術】
【０００２】
人々は、１００年をはるかに超える期間、靴の外側を洗浄して靴の美的外観を良くすることに専心してきた。このことは当初、靴を単に機械的に洗浄した後で革を処置することに限定されていた。この洗浄は純然たる機械的な洗浄であり、通常は、ブラッシングと、油脂またはワックスを浸透させる処置を伴う。その後、例えば米国特許第１４４７８７９号や米国特許第１４３９９１５号で明示されているように、化学的手段による靴の外側の洗浄も知られるようになった。
【０００３】
衛生上の問題点が注目されるようになったのは、ごく最近のことである。例えば、欧州特許第１２３４５１７号は、ある方法を使用して靴を洗浄する装置を開示しており、この装置では、靴に紫外線を照射し、オゾン含有大気にさらす。しかし、この処置は私的使用を意図したものではなく、中敷きのグリップを向上させるための前処置を目的としている。一方、家庭で使われている方法は、いわゆる靴脱臭剤である。靴脱臭剤は、いくつか特定の消毒剤、臭気結合剤（例えばリシノール酸亜鉛等）に加えて、ブタン、アルコール、プロパン、水といった担体物質を高い割合で含有する。リシノール酸亜鉛は、臭気を除去する特性を有するが、それによりバクテリア、真菌、汗を阻害する効果は持たない。一方、バクテリアを阻害する効果や、抗殺真菌効果も有する公知の靴脱臭剤も存在する。この種の靴脱臭剤を用いても、洗浄効果、特に沈着物の洗浄効果は、当然ながら得られない。むしろ、追加の負担が生じる。
【０００４】
汚れ、バクテリア、およびウイルスから種々の皮膚病とアレルギーが発生し得ることは、周知の事実である。特につま先の閉じた靴の場合、比較的温かく湿った環境が作られる。大部分の人々が１日に８時間以上靴を履くことを考えれば、細菌およびウイルスが増殖して足に堆積するのに十分な時間があることは、驚くことではない。こうした細菌およびウイルスは、不快な臭気を発生させるだけでなく、靴を汚染、汚損し、ゆえに足を汚染、汚損する。統計値が明確にこれを物語っている。欧州だけでも、５億５，０００万人ほどが足の臭いに悩んでいると推定される。米国では、約１億２，２００万人が水虫（足白癬）に罹患している。ヒトパピローマウイルスにより発症する足底疣贅に冒されている人々は、米国だけでも２，１００万人に上ると推計される。世界で約２億９，０００万人の成人が真菌性の爪感染症に罹患し、およそ１３億４，０００万人が黄色ブドウ球菌細菌を保有していると推定されている（黄色ブドウ球菌も、足に影響する様々な疾病およびアレルギーを引き起こす）。
【０００５】
今日、一般に入手できる靴スプレー剤は、塗布するのが困難である。スプレー剤の大部分は靴の内部に入ることすらせず、スプレー剤に含まれる急速に蒸発する溶剤で空気を汚染する。また、靴に残った細菌とウイルスの死骸が、今度は新しい細菌とウイルスの食物源となり、ゆえに指数関数的な増殖が可能となる。加えて、実際に足が動く結果として、皮膚、布地等の様々な粒子が運動エネルギーで摩耗することも、細菌とウイルスを存続可能にする基盤となる。これに加えて、大部分のスプレー剤は抗菌性物質を１または２種類しか含有しないため、靴の中で作用が長期化することはほぼ実現不能である。
【０００６】
特開平１０−２７６９６１号公報では、アレルギー反応を起こさない洗剤を開示している。この洗剤は、靴を洗浄する目的で使用され、靴の内側に噴霧される。開発された手段は植物性の配合物であり、微粒子形態で水に溶解し、加圧されて洗浄対象の靴の内部に噴霧される。油脂の無菌化を高めて真菌を駆除するには、オゾンを含む水も併せて中に噴霧する。したがって、この場合も、靴の内側での物理的および化学的な複合洗浄は発生しない。こうしたことから、本発明は、この二重効果を発揮する洗浄剤を創出することを目的とする。
【先行技術文献】
【特許文献】
【０００７】
【特許文献１】米国特許第１４４７８７９号
【特許文献２】米国特許第１４３９９１５号
【特許文献３】特開平１０−２７６９６１号
【発明の開示】
【０００８】
靴の内側を洗浄するという本目的は、粘度の高い鋳型製作材料（modelling material）の形態をした洗浄化合物を用いる本発明により達成される。この洗浄化合物は、天然グアー、水および液体防腐作用を有する消毒剤の組み合わせ７５〜９５重量％、塩化アルミニウムを含有する洗浄剤、ならびに抗菌剤および抗殺真菌剤（antifungicidal agent）からなり、粘稠度（consistency）は、薬剤が靴の内側または表面に順応でき、かつ遊離した粒子を取り囲むことができる高さである。
【発明を実施するための形態】
【０００９】
使用し得る好適な消毒剤には、アルコールまたはエタノールが含まれる。他の形態のアルコールも当然考えられる。抗殺真菌剤としては、最大０．５重量％までのメチルパラベンを添加するのが好ましい。
【００１０】
耐久性を向上する目的で、種々の活性成分も同様に使用できる。この場合、最大０．５重量％のプロピルパラベンを添加するのが好ましい。
【００１１】
少量の芳香性物質および色素も、当然添加される。
【００１２】
芳香性物質も、同様に抗菌作用を提供する場合がある。例えば、シトラール、銀イオン等のいくつかの芳香性物質は、抗菌作用を有することでも知られている。
【００１３】
妥当な範囲を有する一般的で好適な配合を、以下に重量％単位で転載する。
水（Ｈ２ Ｏ）                                   ６５〜７５％
エタノール                                      １０〜２０％
プロパントリオール（propantriol ）                  ５〜８％
天然グアー                                          ３〜７％
塩化アルキルジメチルベニルアンモニウム
（Alkyldimethylbenylammonium chloride ）            ２〜７％
塩化ジデシルジメチルアンモニウム                    １〜４％
ホウ素（ホウ酸として）                      ０．１〜０．５％
メチルパラベン                                    ＜０．５％
プロピルパラベン                                  ＜０．５％
色素                                ０．００１〜０．００３％
芳香性物質                        ０．０００１〜０．００１％
ジアゾリジニル尿素                   ０．００１〜０．００５％
【００１４】
無論、上記の範囲内で配合を変えて、場合に応じて、粘度がより高いか、いくぶん低い洗浄化合物を製造することができる。本発明の洗浄化合物は、使用者が直接靴の中に押し込むことができ、また、粘稠度の面で鋳型製作材料として機能するこの洗浄化合物は、凝集値（cohesion value）が高いため、破損することなく再び引き出すことができる。これにより同時に、物理的不純物は軟化して、靴下の糸くずや他の不純物と一緒に洗浄化合物に付着する。洗浄化合物に混入されているいくつかの物質も少量ずつ靴内の表面に供給され、こうした混入物質により、上記の不純物が中和される。これらの不純物は、数回混練する動作で洗浄化合物の中に練り込まれ、同時に洗浄化合物の表面が変化し、洗剤化合物の新規の表面が、さらなる洗浄目的で再び利用可能になる。ゆえに、この洗浄化合物は、１回使用した後に廃棄する必要はなく、何度も繰り返し使用できる。この洗浄化合物は全体的に液体であり、よって流体であるため、重力の影響下において、靴の内側の形状に順応する。これに要する時間は、粘度により比較的長い場合と短い場合がある。したがって、洗浄化合物を短時間だけ押し込んで直ちに再び除去できる場合もあれば、比較的長い時間靴の中に放置してから除去する場合もある。配合物中に存在する水および他の流体が結合することから、靴の内側の面をわずかに湿らせる作用がある。表面に湿気がしばらく残留すれば、油脂および除去が困難な他の固体粒子を遊離させることができるため、この作用は望ましい。
【００１５】
５〜８重量％という比較的高い割合のプロパントリオールを有する上記配合物は、靴革に対するコンディショニング特性を有する薬剤も含有する。この比較的高い割合のグリセリンは、靴の内側の革を柔軟な状態に維持する作用も有する。
【００１６】
本発明の成形化合物は、足白癬、爪白癬（爪の真菌感染）、カンジダ症（鵞口瘡）等の足部疾患に対する予防作用を有する。本明細書に記載の成形化合物の配合物を試験した結果、数分の暴露時間の後、これらの全細菌の最大９９％を駆除できることが示された。このように処置した靴において、洗浄化合物を除去した後、遊離した粒子および細菌の最大１００％が急減したことが測定され、よって臭気の形成物も積極的に除去された。このことは、芳香性物質を添加することで不快な臭気をマスクしようするだけの多くのスプレー剤とはまったく対照的である。
【００１７】
２〜７重量％の割合の塩化アルキルジメチルベニルアンモニウムは、特に効果的な消毒剤であることが判明した。また、消毒剤である塩化ジデシルジメチルアンモニウムにより、この効果をさらに高めることも可能である。塩化ジデシルジメチルアンモニウム（Alkyldimethylbenylammonium chloride）と上記消毒剤および他の消毒剤を組み合わせて、効果的に使用することもできる。ホウ酸も、消毒剤として好適であることが判明した。ホウ酸は、ここでは０．１〜０．５重量％の量で使用できる。
【００１８】
０．５重量％未満のメチルパラベンを添加することにより、この洗浄化合物の耐久性が増す。プロピルパラベンも、０．５重量％未満の量で洗浄化合物に添加するのが好ましい。プロピルパラベンは、この効果だけでなく一定の洗浄効果も有する。
【００１９】
本明細書に記載の配合を使用することにより、５０，０００〜１５０，０００ｍＰａ・ｓの粘度の洗浄化合物を得ることができる。すなわち、この洗浄化合物は、間隙、裂け目、および縫い目に浸透することが可能であり、なおかつ、内部凝集力が十分高いため、取り出されたときも、凝集した状態を保つ。これにより、この洗浄化合物は、不純物を吸収または封入し、細菌とウイルスを殺し、臭気を中和し、および死滅したバクテリアを粘着により取り込むことができる。